(57)【要約】【課題】タイル様に構成した建材であって、有炭性廃棄物のリサイクル活用に貢献し、室内空気の清浄化、室内空間の快適性を高め、極めて高い装飾性効果をも具備し、多量生産化に適合する有炭性廃棄物による炭化物層を備えた炭化タイルを提供すること。【解決手段】有炭性廃棄物を素材とし、該有炭性廃棄物を炭化して粉粒炭とし、これを加熱加圧成形により所望形状の粉粒炭焼成体２を形成してなり、前記粉粒炭焼成体２を、一辺の寸法Ｌでなる矩形状のベースプレート３上に所望のパターンに従って配列固着したもの、並びに、有炭性廃棄物を素材とし、該有炭性廃棄物を炭化して粉粒炭とし、これを加熱加圧して、一辺の長さ寸法Ｌでなる矩形状の板状体に成形してなる有炭性廃棄物による炭化物層を備えた炭化タイル。【選択図】図１
2005105698.tif 000002
【特許請求の範囲】
【請求項１】
有炭性廃棄物を素材とし、該有炭性廃棄物を炭化して粉粒炭とし、これを加熱加圧成形により所望形状の粉粒炭焼成体を形成してなり、前記粉粒炭焼成体を、一辺の寸法Ｌでなる矩形状のベースプレート上に所望のパターンに従って配列固着してなることを特徴とする有炭性廃棄物による炭化物層を備えた炭化タイル。
【請求項２】
前記有炭性廃棄物を素材とする粉粒炭が、各種天然木材を炭化してなる木炭、各種天然竹材を炭化してなる竹炭、もみ殻、コーヒー殻、お茶殻などを炭化してなる殻炭などであることを特徴とする請求項１に記載の有炭性廃棄物による炭化物層を備えた炭化タイル。
【請求項３】
前記粉粒炭焼成体が、直径寸法φ１ 〜φｎ 、複数種の長さ寸法Ｌ１ 〜Ｌｎ でなる複数種類のペレット体からなることを特徴とする請求項１に記載の有炭性廃棄物による炭化物層を備えた炭化タイル。
【請求項４】
前記粉粒炭焼成体が、直径寸法φでなる棒状体であり、長さ寸法が、前記矩形のベースプレートの一辺の長さ寸法Ｌであるものからなることを特徴とする請求項１に記載の有炭性廃棄物による炭化物層を備えた炭化タイル。
【請求項５】
前記ベースプレートが、セラミック板、金属板、プラスチック板、珪酸カルシウム、紙、布あるいは木板などであることを特徴とする請求項１に記載の有炭性廃棄物による炭化物層を備えた炭化タイル。
【請求項６】
有炭性廃棄物を素材とし、該有炭性廃棄物を炭化して粉粒炭とし、これを加熱加圧して、一辺の長さ寸法Ｌでなる矩形状の板状体に成形してなることを特徴とする有炭性廃棄物による炭化物層を備えた炭化タイル。
【請求項７】
前記有炭性廃棄物を素材とする粉粒炭が、各種天然木材を炭化してなる木炭、各種天然竹材を炭化してなる竹炭、もみ殻、コーヒー殻、お茶殻などを炭化してなる殻炭などであることを特徴とする請求項６に記載の有炭性廃棄物による炭化物層を備えた炭化タイル。
【請求項８】
前記板状体の一方の面に、凹凸状のタイル装飾起伏を一体成形してなることを特徴とする請求項６に記載の有炭性廃棄物による炭化物層を備えた炭化タイル。
【請求項９】
前記板状体の一方の面から他方の面に貫通する複数の貫通孔を、所望のパターンに従って配列成形してなることを特徴とする請求項６に記載の有炭性廃棄物による炭化物層を備えた炭化タイル。
【発明の詳細な説明】
【技術分野】
【０００１】
この発明は、建造物などにおける壁面、床、天井、間仕切りなどに適用される建材のうち、特に、タイル様に構成した建材に係るものであって、有炭性廃棄物のリサイクル活用に貢献し、室内空気の清浄化、室内空間の快適性を高めるべく機能するように構成し、吸着性効果、調湿（吸湿）性効果、脱臭（吸臭）性効果、抗菌性効果、マイナスイオン発生効果、遠赤外線効果並びに電磁波遮断効果などの多様な効果に加え、極めて高い装飾性効果をも具備するように構成してなる有炭性廃棄物による炭化物層を備えた炭化タイルに関するものである。
【背景技術】
【０００２】
周知のように、各種天然木材を炭化してなる木炭あるいは各種天然竹材を炭化してなる竹炭などを建材の一部として組み込み、室内空間の快適性（吸着性、調湿性あるいは脱臭性など）を高めるように構成した技術が知られている。これらの技術の一例として、特許文献１には、土壁、コンクリート壁、モルタル壁等の壁材およびドア板材、天井板等の建築部材表面に炭を複数片填め込みまたは貼着してなる建材が開示してある。
【０００３】
この特許文献１に記載の建材は、建造物における土壁、コンクリート壁、モルタル壁等の壁自体に対して直接的に、複数片の炭を填め込みまたは貼着するように構成したものであって、本発明のもののように、工場サイドにおいて多量生産化が可能なように構成したタイル様建材であって、これを施工現場において所望の配列パターンに従ってユニット的に組み合わせ施工し得るように構成したものとは、本質的に相違するものである。
【０００４】
【特許文献１】特開２００１−７３５２６号公報（要約、図１）
【発明の開示】
【発明が解決しようとする課題】
【０００５】
そこで、この発明では、上記する従来技術の問題点を解消すべくなしたものであって、特に重要な要素は、タイル様に構成した建材を提供するものであり、有炭性廃棄物のリサイクル活用に貢献し、室内空気の清浄化、室内空間の快適性を高めるべく機能するように構成し、吸着性効果、調湿（吸湿）性効果、脱臭（吸臭）性効果、抗菌性効果、マイナスイオン発生効果、遠赤外線効果並びに電磁波遮断効果などの多様な効果に加え、極めて高い装飾性効果をも具備するように構成してなり、さらには、工場サイドにおいて多量生産化が可能であり、施工現場において容易に、且つ、装飾変化性高く施工し得るようになした有炭性廃棄物による炭化物層を備えた炭化タイルを提供するものである。
【課題を解決するための手段】
【０００６】
この発明は、上記する目的を達成するにあたって、具体的には、有炭性廃棄物を素材とし、該有炭性廃棄物を炭化して粉粒炭とし、これを加熱加圧成形により所望形状の粉粒炭焼成体を形成してなり、前記粉粒炭焼成体を、一辺の寸法Ｌでなる矩形状のベースプレート上に所望のパターンに従って配列固着してなる有炭性廃棄物による炭化物層を備えた炭化タイルを構成するものである。
【０００７】
さらに、この発明において請求項２に記載の発明は、請求項１に記載の有炭性廃棄物による炭化物層を備えた炭化タイルであって、前記有炭性廃棄物を素材とする粉粒炭が、各種天然木材を炭化してなる木炭、各種天然竹材を炭化してなる竹炭、もみ殻、コーヒー殻、お茶殻などを炭化してなる殻炭などであることを特徴とするものである。
【０００８】
さらに、この発明において請求項３に記載の発明は、請求項１に記載の発明であって、前記粉粒炭焼成体が、直径寸法φ１ 〜φｎ 、複数種の長さ寸法Ｌ１ 〜Ｌｎ でなる複数種類のペレット体からなることを特徴とするものである。
【０００９】
さらに、この発明において請求項４に記載の発明は、請求項１に記載の発明であって、前記粉粒炭焼成体が、直径寸法φでなる棒状体であり、長さ寸法が、前記矩形のベースプレートの一辺の長さ寸法Ｌであるものからなることを特徴とするものである。
【００１０】
さらに、この発明において請求項５に記載の発明は、請求項１に記載の発明であって、前記ベースプレートが、セラミック板、金属板、プラスチック板、珪酸カルシウム、紙、布あるいは木板などであることを特徴とするものである。
【００１１】
さらにまた、この発明において請求項６に記載の発明は、有炭性廃棄物を素材とし、該有炭性廃棄物を炭化して粉粒炭とし、これを加熱加圧して、一辺の長さ寸法Ｌでなる矩形状の板状体に成形してなる有炭性廃棄物による炭化物層を備えた炭化タイルを構成するものである。
【００１２】
さらに、この発明において請求項７に記載の発明は、請求項６に記載の発明であって、前記有炭性廃棄物を素材とする粉粒炭が、各種天然木材を炭化してなる木炭、各種天然竹材を炭化してなる竹炭、もみ殻、コーヒー殻、お茶殻などを炭化してなる殻炭などであることを特徴とする請求項６に記載の有炭性廃棄物による炭化物層を備えた炭化タイル。
【００１３】
さらにまた、この発明において請求項８に記載の発明は、請求項６に記載の発明であって、前記板状体の一方の面に、凹凸状のタイル装飾起伏を一体成形してなることを特徴とするものである。
【００１４】
さらにまた、この発明において請求項９に記載の発明は、請求項６に記載の発明であって、前記板状体の一方の面から他方の面に貫通する複数の貫通孔を、所望のパターンに従って配列成形してなることを特徴とするものである。
【発明の効果】
【００１５】
この発明になる有炭性廃棄物による炭化物層を備えた炭化タイルによれば、まず第１に、有炭性廃棄物を素材とした点において、有炭性廃棄物のリサイクル活用に貢献するものであり、ダイオキシン公害を防止できる。第２には、当該有炭性廃棄物を炭化して粉粒炭とし、これを加熱加圧成形により所望形状の粉粒炭焼成体を形成してなり、該粉粒炭焼成体を構成要素とする点において、室内空気の清浄化、室内空間の快適性を高めるべく機能し、吸着性効果、調湿（吸湿）性効果、脱臭（吸臭）性効果、抗菌性効果、マイナスイオン発生効果、遠赤外線効果並びに電磁波遮断効果などの多様な効果に加え、極めて高い装飾性効果をも具備するものであって、これらの点においても極めて有効に作用する。さらに、第３には、タイル様に構成した建材である点において、工場サイドにおいて多量生産化が可能であり、施工現場において容易に、且つ、装飾変化性高く施工し得るなどの点においても極めて有効に作用するものといえる。
【発明を実施するための最良の形態】
【００１６】
以下、この発明になる有炭性廃棄物による炭化物層を備えた炭化タイル構造物について、図面に示す具体的な実施例に基づいて詳細に説明する。図１は、この発明になる有炭性廃棄物による炭化物層を備えた炭化タイルについて、その第１の実施例（基本的には、請求項１に対応するもので、具体的には、請求項３に対応する実施例）を示すものであって、図１Ａは、当該炭化タイルの一片を示す概略的な正面図、図１Ｂは、図１Ａにおける１Ｂ−１Ｂ線に沿って断面にして示す概略的な１Ｂ−１Ｂ線断面図、図１Ｃは、ペレット状の粉粒炭焼成体の一形態例を示す概略的な斜視図、図１Ｄは、ペレットの配列態様の一例を示す概略的な斜視図である。
【００１７】
図２は、この発明の第２の実施例（基本的には、請求項１に対応するもので、具体的には、請求項４に対応する実施例）を示すものであって、図２Ａは、当該炭化タイルの一片を示す概略的な正面図、図２Ｂは、図２Ａにおける２Ｂ−２Ｂ線に沿って断面にして示す概略的な２Ｂ−２Ｂ線断面図、図２Ｃは、棒状体でなる粉粒炭焼成体の一形態例を示す概略的な斜視図である。
【００１８】
図３は、この発明の第３の実施例（基本的には、請求項６に対応するもので、具体的には、請求項７に対応する実施例）を示すものであって、図３Ａは、当該炭化タイルの一片を示す概略的な正面図、図３Ｂは、図３Ａにおける３Ｂ−３Ｂ線に沿って断面にして示す概略的な３Ｂ−３Ｂ線断面図、図３Ｃは、当該第３の実施例になる炭化タイルを一部破断して示す概略的な斜視図である。
【００１９】
図４は、この発明の第４の実施例（基本的には、請求項６に対応するもので、具体的には、請求項８に対応する実施例）を示すものであって、図４Ａは、当該炭化タイルの一片を示す概略的な正面図、図４Ｂは、図４Ａにおける４Ｂ−４Ｂ線に沿って断面にして示す概略的な４Ｂ−４Ｂ線断面図、図４Ｃは、当該第４の実施例に関する第１の変形例でなる炭化タイルについて略同位置で断面にして示す概略的な断面図、図４Ｄは、当該第４の実施例に関する第２の変形例でなる炭化タイルの概略的な断面図、図４Ｅは、当該第４の実施例に関する第３の変形例でなる炭化タイルの概略的な断面図である。
【００２０】
この発明は、基本的には、図１並びに図２に示す第１の構成例（第１および第２の実施例を含む）と、図３並びに図４に示す第２の構成例（第３および第４の実施例を含む）とによって構成されるものである。
【００２１】
上記第１の構成例になる炭化タイル構造物１０は、所望形状の粉粒炭焼成体２と一辺の寸法Ｌでなる矩形状のベースプレート３との組み合わせによって構成されるものである。前記粉粒炭焼成体２は、各種天然木材を炭化してなる木炭、各種天然竹材を炭化してなる竹炭、もみ殻、コーヒー殻、お茶殻などを炭化してなる殻炭などの有炭性廃棄物を素材とするものであり、当該有炭性廃棄物を炭化して粉粒炭とした後、これを加熱加圧成形により所望形状に成形したものからなっており、当該所望形状の粉粒炭焼成体２を、例えば、厚さ寸法が４〜６ｍｍ程度のセラミック板、珪酸カルシウム板あるいは木板でなるベースプレート３上に所望のパターンに従って無機系接着剤４により配列固着してある。前記矩形状のベースプレート３の一辺の寸法Ｌは、例えば、１００ｍｍ、１５０ｍｍ、２００ｍｍ、３００ｍｍなど、複数種類の長さ寸法のものが準備される。
【００２２】
上記第１の構成例になる炭化タイル構造物１０は、図１に示す第１の実施例になる炭化タイル構造物１１と、図２に示す第２の実施例になる炭化タイル構造物１２とを含むものからなっている。図１に示す第１の実施例になる炭化タイル構造物１１は、前記粉粒炭焼成体２が、直径寸法φ１ 〜φｎ 、複数種の長さ寸法Ｌ１ 〜Ｌｎ でなる複数種類のペレット体２Ａによるものである。このペレット体２Ａは、炭または活性炭からなる粉粒炭を８５０度程度の焼成温度下での焼成処理により得られる。より好ましい実施例において、ペレット体２Ａの直径寸法φ１ 〜φｎ は、約３ｍｍ〜５ｍｍであり、ペレット体２Ａの長さ寸法Ｌ１ 〜Ｌｎ は、約５ｍｍ〜１０ｍｍの範囲において、例えば、５ｍｍ、７ｍｍ、８ｍｍ、１０ｍｍなど、複数種類の長さ寸法のものが準備される。
【００２３】
一方また、図２に示す第２の実施例になる炭化タイル構造物１２は、前記粉粒炭焼成体２が、直径寸法φが約７ｍｍ〜８ｍｍでなる棒状体２Ｂであり、長さ寸法Ｌが、前記矩形のベースプレート３の一辺の長さ寸法Ｌに対応するものであって、例えば、１００ｍｍ、１５０ｍｍ、２００ｍｍ、３００ｍｍなどのものとして複数種類の長さ寸法のものが準備される。
【００２４】
次いで、この発明における第２の構成例（図３に示す第３の実施例並びに図４に示す第４の実施例を含む）になる炭化タイル構造物２０について説明する。この第２の構成例になる炭化タイル構造物２０は、上記するように、図３に示す第３の実施例になる炭化タイル構造物２３と、図４に示す第４の実施例になる炭化タイル構造物２４とを含むものからなっている。これらの実施例のものは、各種天然木材を炭化してなる木炭、各種天然竹材を炭化してなる竹炭、もみ殻、コーヒー殻、お茶殻などを炭化してなる殻炭などの有炭性廃棄物を素材とするものであり、当該有炭性廃棄物を炭化して粉粒炭とした後、これを加熱加圧成形により、一辺の長さ寸法Ｌでなる矩形状の板状体に成形したものである。
【００２５】
図３に示す第３の実施例になる炭化タイル構造物２３は、例えば、一辺の長さ寸法Ｌが、１００ｍｍ、１５０ｍｍ、２００ｍｍ、３００ｍｍなどでなる矩形状の板状体２５自体が粉粒炭焼成体によって構成されているものであり、前記板状体２５の一方の面２５ａに、凹凸状のタイル装飾起伏２６を一体成形したものからなっている。前記凹凸状のタイル装飾起伏２６は、図３に示すような形態のものに限定されるものではなく、通常、デザイン設計し得る範囲において、適宜設計変更が可能なものである。
【００２６】
一方また、図４に示す第４の実施例になる炭化タイル構造物２４は、上記第３の実施例になる炭化タイル構造物２３と同様に、例えば、一辺の長さ寸法Ｌが、１００ｍｍ、１５０ｍｍ、２００ｍｍ、３００ｍｍなどでなる矩形状の板状体２７自体が粉粒炭焼成体によって構成されているものであり、例えば、図４Ｂに示すもののように、板状体２７の一方の面２７ａから他方の面２７ｂに貫通する複数の貫通孔２８を、所望のパターンに従って配列成形したものからなっている。
【００２７】
さらにまた、図４に示す第４の実施例になる炭化タイル構造物２４は、図４Ｃに示す第１の変形例、図４Ｄに示す第２の変形例、図４Ｅに示す第３の変形例を含むものからなっている。図４Ｃに示す第１の変形例は、前記貫通孔２８に代えて、有底孔２９を設けたものであり、図４Ｄに示す第２の変形例は、前記貫通孔２８に代えて、突起３０を設けたものであり、図４Ｅに示す第３の変形例は、板状体２７の一方の面２７ａを平坦な面３１に成形したものである。
【産業上の利用可能性】
【００２８】
この発明になる有炭性廃棄物による炭化物層を備えた炭化タイルは、例えば、有炭性廃棄物を炭化して粉粒炭とし、これを加熱加圧成形により所望形状の粉粒炭焼成体を形成してなり、該粉粒炭焼成体を構成要素とする点において、室内空気の清浄化、室内空間の快適性を高めるべく機能し、吸着性効果、調湿（吸湿）性効果、脱臭（吸臭）性効果、抗菌性効果、マイナスイオン発生効果、遠赤外線効果並びに電磁波遮断効果などの多様な効果に加え、極めて高い装飾性効果をも具備するものであって、建造物などにおける室内壁面、床、天井、間仕切り、各種家具類、外壁、軒天などに、さらには、図４に示す第４の実施例のもののように貫通孔２８を設けたものにおいては、当該貫通孔内に発光ダイオード素子などを配置して、興趣性のある照明構造物を構築することもできる。
【図面の簡単な説明】
【００２９】
【図１】図１は、この発明になる有炭性廃棄物による炭化物層を備えた炭化タイルについて、その第１の実施例（基本的には、請求項１に対応するもので、具体的には、請求項３に対応する実施例）を示すものであって、図１Ａは、当該炭化タイルの一片を示す概略的な正面図、図１Ｂは、図１Ａにおける１Ｂ−１Ｂ線に沿って断面にして示す概略的な１Ｂ−１Ｂ線断面図、図１Ｃは、ペレット状の粉粒炭焼成体の一形態例を示す概略的な斜視図、図１Ｄは、ペレットの配列態様の一例を示す概略的な斜視図である。
【図２】図２は、この発明の第２の実施例（基本的には、請求項１に対応するもので、具体的には、請求項４に対応する実施例）を示すものであって、図２Ａは、当該炭化タイルの一片を示す概略的な正面図、図２Ｂは、図２Ａにおける２Ｂ−２Ｂ線に沿って断面にして示す概略的な２Ｂ−２Ｂ線断面図、図２Ｃは、棒状体でなる粉粒炭焼成体の一形態例を示す概略的な斜視図である。
【図３】図３は、この発明の第３の実施例（基本的には、請求項６に対応するもので、具体的には、請求項７に対応する実施例）を示すものであって、図３Ａは、当該炭化タイルの一片を示す概略的な正面図、図３Ｂは、図３Ａにおける３Ｂ−３Ｂ線に沿って断面にして示す概略的な３Ｂ−３Ｂ線断面図、図３Ｃは、当該第３の実施例になる炭化タイルを一部破断して示す概略的な斜視図である。
【図４】図４は、この発明の第４の実施例（基本的には、請求項６に対応するもので、具体的には、請求項８に対応する実施例）を示すものであって、図４Ａは、当該炭化タイルの一片を示す概略的な正面図、図４Ｂは、図４Ａにおける４Ｂ−４Ｂ線に沿って断面にして示す概略的な４Ｂ−４Ｂ線断面図、図４Ｃは、当該第４の実施例に関する第１の変形例でなる炭化タイルについて略同位置で断面にして示す概略的な断面図、図４Ｄは、当該第４の実施例に関する第２の変形例でなる炭化タイルの概略的な断面図、図４Ｅは、当該第４の実施例に関する第３の変形例でなる炭化タイルの概略的な断面図である。
【符号の説明】
【００３０】
２  粉粒炭焼成体
２Ａ  ペレット体
２Ｂ  棒状体
３  矩形状のベースプレート
４  無機系接着剤
１０  第１の構成例になる炭化タイル構造物
１１  第１の実施例になる炭化タイル構造物
１２  第２の実施例になる炭化タイル構造物
２０  第２の構成例になる炭化タイル構造物
２３  第３の実施例になる炭化タイル構造物
２４  第４の実施例になる炭化タイル構造物
２５  矩形状の板状体
２６  凹凸状のタイル装飾起伏
２７  矩形状の板状体
２８  複数の貫通孔
２９  有底孔
３０  突起
３１  平坦な面
【図１】
2005105698.tif 000003
【図２】
2005105698.tif 000004
【図３】
2005105698.tif 000005
【図４】
2005105698.tif 000006